(57)【要約】【課題】  従来の非接触式自動改札機では、単に多機能式自動改札機からカードハンドラ部分を除いて、筐体の内部に収納する構成品が無くなった筐体の一部に貫通する開口部を設けて、蛍光灯、案内板等を設けただけで、寸法、形状の小型化、メンテナンスの容易さ、駅改札口への設置の容易さ、または非接触式自動改札機利用者の使い易さが図られたものではなかった。【解決手段】  表示部とアンテナ部を有する上部筐体と改札通路を開閉するドアとドア開閉駆動部を有する防塵構造の中央部筐体と制御部と電源部を有する基部筐体とから構成される改札通路入口側本体と、改札通路入口側本体を左右対象にした改札通路出口側本体と、両本体間に設けられたパイプと、を具備することを特徴とする非接触式自動改札機で小型軽量化、メンテナンスの容易さ、駅改札口への設置の容易さ、または非接触式自動改札機利用者の使い易さが出来る。【選択図】図１
2006085660.tif 000002
【特許請求の範囲】
【請求項１】
非接触式自動改札機の本体に設けられているアンテナに非接触券をタッチして、またはそのアンテナにかざして入出場処理する非接触式自動改札機において、
表示部とアンテナ部を有する上部筐体と、
改札通路を開閉するドアとドア開閉駆動部を有する中央部筐体と、
制御部と電源部を有する基部筐体と、
前記上部筐体と前記中央部筐体と前記基部筐体とから構成される改札通路入口側本体と、
前記改札通路入口側本体を左右対象とした改札通路出口側本体と、
前記改札通路入口側本体と前記改札通路出口側本体とに設けられた機器相互間のケーブルを内側に通して前記改札通路入口側本体と前記改札通路出口側本体間に設けられたパイプと、
を具備することを特徴とする非接触式自動改札機。
【請求項２】
改札通路入口側本体と改札通路出口側本体を略£（イギリスの通貨単位記号ポンド）字状にした請求項１の非接触式自動改札機。
【請求項３】
改札通路入口側本体と改札通路出口側本体を略Ｅ字状にした請求項１の非接触式自動改札機。
【請求項４】
改札通路入口側本体と改札通路出口側本体を略Ｆ字状にした請求項１の非接触式自動改札機。
【請求項５】
請求項１〜４のいずれかに記載の非接触式自動改札機において、改札通路を開閉するドアとドア開閉駆動部を有する中央部筐体を防塵構造としたことを特徴とする非接触式自動改札機。
【発明の詳細な説明】
【技術分野】
【０００１】  本発明は、非接触式自動改札機に係り、非接触式自動改札機の本体を分割可能な構成とし、小型軽量化、整備性の向上並びに非接触式自動改札機利用者の使い易さを図った非接触式自動改札機に関する。
【背景技術】
【０００２】  従来の非接触式自動改札機には、多機能自動改札機の低コスト化およびメンテナンス頻度の低減を図るために、乗車券への対応は無線通信機能を有するＩＣカード非接触券のみとし、その非接触券のみを処理する非接触式自動改札機が提案され、多機能式自動改札機の改札機本体の構成からカードハンドラ部分を除いての軽量化や、筐体の一部を貫通する空間を設けて照明を設けて構成されているものがある（例えば、特許文献１参照。）。【０００３】  以下、図１１により従来の非接触式自動改札機について説明する。図において、非接触式自動改札機の本体１の外観は多機能式自動改札機と略同じ外観である。筐体２が所定の強度を保てる範囲で、かつ、その筐体２内にドア３，ドア３の駆動機構、制御機器類等を収納できる容積を確保して、可能な限り大きくあけられた開口部４が設けてある。【０００４】  また、その開口部４の形状は、図示のような長方形のみではなく、円形や楕円、あるいは多角形となっている。開口部４の天井側に蛍光灯５を、または開口部４に案内板を設けデパートの広告文字等が記載できるようにもなっている。
【特許文献１】特開２００４−１９２４１８号  公報
【発明の開示】
【発明が解決しようとする課題】
【０００５】  以上に述べた従来の非接触式自動改札機では、単に多機能式自動改札機からカードハンドラ部分を除いて、筐体２の内部に収納する構成品が無くなった筐体２の一部に貫通する開口部４を設けて、蛍光灯５、案内板等を設けただけで、本体１の寸法は厚さ約２０ｃｍ、奥行き約１６０ｃｍ、高さ約９０ｃｍも有り、寸法、形状の小型化、メンテナンスの容易さ、駅改札口への設置の容易さ、または非接触式自動改札機利用者の使い易さが図られたものではなかった。また、出入双方向とした場合、本体１を２台背中合わせに設置しなければならないために駅改札口の幅が本体１の厚さ約２０ｃｍ分多く必要となる。【０００６】  多機能自動改札機はカードハンドラを構成するベルト、ベルトを駆動させるモータ、モータの回転力をベルトに伝えるギヤー群、ベルトを支えてベルトに張力を持たせるための多数のローラを筐体２の内部に有し、磨耗による損傷や埃による動作不良が生じないようにしなければならなかったため、単機能の非接触式自動改札機となっても従来の本体１は、この矩形で密閉された形から開口部４を設けたのみで、従来の形状、構成から抜けられない形になっている。【０００７】  従来の本体１が内部に有する駆動部分はドア３の駆動部分のみとなり、筐体２内に収納されたドア３の駆動機構、制御機器類等の点検および交換で筐体２の一部を開閉する。これらの作業のために完全密閉が出来ない筐体２は微細な塵やゴミが内部に侵入することが避けられない。侵入した塵やゴミはギヤー、ベアリング、ベルト等に付着し、長期間放置するとモータが過電流状態になるなど作動不良が起こることがある。そのために、駅改札口に設置された状態で定期点検が不可欠であり、点検頻度が増し、自動改札機としての使い勝手が低下する。この定期点検の時間、非接触式自動改札機利用者に対して迷惑をかけていた。特に小さな駅で自動改札機設置数の少ない駅においては多大な迷惑となっていた。【０００８】  従来の改札機の本体１は、前記のようなことから自動改札機の本体１の形が限られて、筐体２内部に収納する構成品が無くなった筐体２の一部に貫通する開口部４を設けて、蛍光灯５、案内板等を設けるだけで改札通路の閉塞性、圧迫感を取除くことが出来なかった。【０００９】  本発明は、このような従来の構成が有していた問題を解決しようとするものであり、非接触式自動改札機の形状の小型軽量化、メンテナンスの容易さ、駅改札口への設置の容易さ、さらに非接触式自動改札機利用者の使い易さ、改札通路の閉塞性、圧迫感を取除くことを目的とするものである。
【課題を解決するための手段】
【００１０】そして、本発明は上記目的を達成するために、
非接触式自動改札機の本体に設けられているアンテナに非接触券をタッチして、またはそのアンテナにかざして入出場処理する非接触式自動改札機において、
表示部とアンテナ部を有する上部筐体と、
改札通路を開閉するドアとドア開閉駆動部を有する中央部筐体と、
制御部と電源部を有する基部筐体と、
前記上部筐体と前記中央部筐体と前記基部筐体とから構成される改札通路入口側本体と、
前記改札通路入口側本体を左右対象とした改札通路出口側本体と、
前記改札通路入口側本体と前記改札通路出口側本体とに設けられた機器相互間のケーブルを内側に通して前記改札通路入口側本体と前記改札通路出口側本体間に設けられたパイプと、
を具備することを特徴とする非接触式自動改札機である。【００１１】  第２の課題を解決するための手段は、
改札通路入口側本体と改札通路出口側本体を略£（イギリスの通貨単位記号ポンド）字状にした請求項１の非接触式自動改札機である。【００１２】  第３の課題を解決するための手段は、
改札通路入口側本体と改札通路出口側本体を略Ｅ字状にした請求項１の非接触式自動改札機である。【００１３】  第４の課題を解決するための手段は、
改札通路入口側本体と改札通路出口側本体を略Ｆ字状にした請求項１の非接触式自動改札機である。【００１４】  第５の課題を解決するための手段は、
請求項１〜４のいずれかに記載の非接触式自動改札機において、改札通路を開閉するドアとドア開閉駆動部を有する中央部筐体を防塵構造としたことを特徴とする非接触式自動改札機である。【００１５】  上記第１の課題解決手段による作用は次の通りである。すなわち、前記非接触式自動改札機は、改札通路入口側本体１０１、改札通路出口側本体１０２が上部筐体１０６と中央部筐体１０７と基部筐体１０８とに分割が出来て、これらを組立てた、改札通路入口側本体１０１と改札通路出口側本体１０２とパイプ１０９の構成となっているために、上部筐体１０６の寸法は幅約２０ｃｍ、奥行き約６０ｃｍ、高さ約４５ｃｍ、中央部筐体１０７の寸法は幅約２０ｃｍ、奥行き約６０ｃｍ、高さ約３５ｃｍ、基部筐体１０８の寸法は幅約２０ｃｍ、奥行き約６０ｃｍ、高さ約２０ｃｍとなり、３分割で非接触式自動改札機の形状の小型軽量化と駅改札口への設置が容易になる。【００１６】  上記第２、第３、第４の課題解決手段による作用は次の通りである。すなわち、前記非接触式自動改札機は、改札通路入口側本体２０１、３０１、４０１と改札通路出口側本体２０２、３０２、４０２が上部筐体２０６、３０６、４０６と中央部筐体２０７、３０７、４０７と基部筐体２０８、３０８、４０８とに分割が出来て、これらを略£（イギリスの通貨単位記号ポンド）字状、略Ｅ字状、または、略Ｆ字状に組立てた改札通路入口側本体２０１、３０１、４０１と改札通路出口側本体２０２、３０２、４０２とパイプ２０９、３０９、４０９の構成となっているために、非接触式自動改札機の更なる小型軽量化、メンテナンス性、駅改札口への設置の容易さはもとより、非接触式自動改札機利用者の従来のような矩形に対して感じた閉塞感、圧迫感を感じなくできる。また、略£字状、略Ｅ字状、または、略Ｆ字状にすることで、表示部１０の傾き角度が大きく、アンテナ部１１の形状が丸く出来るために、非接触式自動改札機利用者は使い易くなる。【００１７】  上記第５の課題解決手段による作用は次の通りである。すなわち、改札通路入口側本体１０１、２０１、３０１、４０１と改札通路出口側本体１０２、２０２、３０２、４０２が分割出来て、中央部筐体１０７、２０７、３０７、４０７が防塵構造にしてあるために上部筐体１０６、２０６、３０６、４０６、基部筐体１０８、２０８、３０８、４０８内に収納されている機器のメンテナンスに無関係なために微細な塵やゴミがドア開閉駆動部１２の構成品に付着することも無くなる。
【発明の効果】
【００１８】  上述したように本発明の非接触式自動改札機は、非接触式自動改札機の改札通路入口側本体および改札通路出口側本体が３分割で形状の小型軽量化、メンテナンスが容易に、駅改札口への設置が容易にできる。さらに、表示部１０の傾き角度が大きく、アンテナ部１１の形状が丸くなるために、非接触式自動改札機利用者は使い易く、また、改札通路入口側本体および改札通路出口側本体が略£字状、略Ｅ字状、略Ｆ字状となっているために、閉塞感、圧迫感を感じなくなる。さらに、中央部筐体１０７、２０７、３０７、４０７が防塵構造になっているためにドア駆動機構１２のメンテナンスフリー化もできる。
【発明を実施するための最良の形態】
【００１９】  以下、本発明の実施の形態を、図１〜図６に基づいて説明する。【００２０】図１において、上部筐体２０６と中央部筐体２０７と基部筐体２０８を略£（イギリスの通貨単位記号ポンド）字状に形成した改札通路入口側本体２０１と改札通路出口側本体２０２と改札通路入口側本体２０１と改札通路出口側本体２０２間に設けられたパイプ２０９との一実施の形態を斜視図で示してある。この非接触式自動改札機は、無線通信機能を備えたＩＣカードからなる図示しない非接触券を処理することのできる非接触式として示されている。したがって、改札通路入口側本体２０１の上部筐体２０６の改札通路入口側上面には、非接触券と交信するためのアンテナ部１１が設けられているとともに、その非接触券との交信内容やその非接触券の残額情報等を利用者に案内する表示部１０が改札通路出口側本体２０２の対峙する位置に設けられている。また、中央部筐体２０７の改札通路入口側端面には、非接触式自動改札機の稼動状態を利用者に報知する案内部１３が設けられている。【００２１】  図示しないが、上部筐体２０６の側面およびパイプ２０９には、改札通路に沿って反射型センサからなる人間検知器が改札通路の入口側、中央部及び出口側に設けられる。パイプ２０９内には改札通路入口側本体２０１と改札通路出口側本体２０２間の相互のケーブルが通されている。【００２２】  中央部筐体２０７には改札通路を開閉するドア３が設けられている。そして、ドア３は、非接触式自動改札機を統括的に制御する制御部１４の指令によりドア駆動機構１２で駆動される。【００２３】  基部筐体２０８には非接触式自動改札機を統括的に制御する制御部１４および電源部１５が設けられている。【００２４】  図６は図２のＡ−Ａ断面図で、中央部筐体１０７、２０７、３０７、４０７を防塵構造にした一実施の形態を詳細図で示してある。点検用パネル１９、上面パネル２０および底面パネル２１はそれぞれガスケットＡ１６、ガスケットＢ１７、ガスケットＣ１８で密閉され、上面パネル２０および底面パネル２１に取り付けられるコネクタＡ２３、コネクタＢ２４もガスケット２２で密閉される。同じように中央部筐体１０７、２０７、３０７、４０７に取り付けられる他の物品もガスケットで密閉される。【００２５】  図５において、ドア開閉駆動部１２の一実施の形態を詳細図で示してある。ドア３は駆動軸２７に固定され、駆動軸２７は密閉型ベアリングＡ２８および密閉型ベアリングＢ２９により中央部筐体１０７、２０７、３０７、４０７に回転可能に取り付けられている。中央部筐体１０７、２０７、３０７、４０７内の駆動軸２７には従プーリ３０が取り付けられ、従プーリ３０は中央部筐体１０７、２０７、３０７、４０７内に固定されたギヤーヘッド３３付きモータ３４の回転をギヤーヘッド３３に取り付けられた主プーリ３１とタイミングベルト３２で伝えられて回転し、ドア３は駆動軸２７を介して伝えられた回転動力により開閉する。密閉型ベアリングＡ２８および密閉型ベアリングＢ２９は市販の密閉型ベアリングまたはラバーシールベアリングが使用され、さらにＯリング４０でシールされているために中央部筐体１０７、２０７、３０７、４０７は防塵構造となる。【���０２６】  図２において、上部筐体１０６と中央部筐体１０７と基部筐体１０８を組立て形成した改札通路入口側本体１０１と改札通路出口側本体１０２と改札通路入口側本体１０１と改札通路出口側本体１０２間に設けられたパイプ１０９との一実施の形態を図示してある。【００２７】  図３において、上部筐体３０６と中央部筐体３０７と基部筐体３０８を略Ｅ字状に形成した改札通路入口側本体３０１と改札通路出口側本体３０２と改札通路入口側本体３０１と改札通路出口側本体３０２間に設けられたパイプ３０９との一実施の形態を図示してある。【００２８】  図４において、上部筐体４０６と中央部筐体４０７と基部筐体４０８を略Ｆ字状に形成した改札通路入口側本体４０１と改札通路出口側本体４０２と改札通路入口側本体４０１と改札通路出口側本体４０２間に設けられたパイプ４０９との一実施の形態を図示してある。【００２９】  以下、上記構成の駅改札口への設置、メンテナンスおよび動作を図１、図６にて説明する。駅改札口への設置において、分割され小さく梱包されたために駅までの搬送が容易になった、上部筐体２０６と中央部筐体２０７と基部筐体２０８およびパイプ２０９を組立てる。まず、上部筐体２０６の側面パネルＡ３８と基部筐体２０８の側面パネルＢ３７を取外して、改札口の入口部分に基部筐体２０８を駅改札口のフロアに設置し、この上に中央部筐体２０７を載せ、ネジＡ３５で固定し、コネクタＢ２４にプラグＢ２５を接続する。さらに、中央部筐体２０７の上に上部筐体２０６を載せ、ネジＢ３６で固定し、コネクタＡ２３にプラグＡ２６を接続して改札通路入口側本体２０１が組み上げられる。さらに、改札口の出口部分も同じようにして改札通路出口側本体２０２を組み上げる。組み上げられた改札通路入口側本体２０１と改札通路出口側本体２０２間にパイプ１０９を組み込み、図示しないが、ネジでパイプ１０９を固定して、パイプ１０９の両端のプラグをコネクタに接続する。最後に、取外した側面パネルＢ３７、側面パネルＡ３８を取り付ける。【００３０】  メンテナンスにおいて、唯一の可動部分であるドア駆動機構１２は中央部筐体２０７が密閉されているために微細な塵やゴミが中央部筐体２０７の内部に侵入することが無いので、駅改札口での保守点検は不要となるが、ドア駆動機構１２は磨耗する部品、寿命の有る部品、経年変化する部品等で構成されているために定期点検が必要となる。しかし、中央部筐体２０７は分解して取り外しが出来るために、駅業務が終わった時点で中央部筐体２０７を新品またはオーバホール終了品と交換する。取外された中央部筐体２０７は整備工場に送って、オーバホールを行う。【００３１】  動作において、非接触券を有する鉄道利用者が、改札口の入口部分に設置された改札通路入口側本体２０１の上部筐体２０６の表面に設けられたアンテナ部１１に非接触券をタッチして、またはそのアンテナにかざして入場すると、図示しない受信部で受信し、信号を基部筐体２０８に設けられた制御部１４に送信し、制御部１４で処理された信号で中央部筐体２０７に設けられたドア駆動機構１２を動作させて、ドア３を開く。また、鉄道利用者は改札口の出口部分に設置された改札通路出口側本体２０２の上���筐体２０６の表面に設けられた表示部１０で非接触券との交信内容やその非接触券の残額情報等を利用者に案内するのを見て、駅構内に入場することができる。
【図面の簡単な説明】
【００３２】
【図１】  本発明の非接触式自動改札機を略£（イギリスの通貨単位記号ポンド）字状に形成した一実施例の斜視図。
【図２】  本発明の非接触式自動改札機を縦に形成した一実施例の正面図。
【図３】  本発明の非接触式自動改札機を略Ｅ字状に形成した一実施例の正面図。
【図４】  本発明の非接触式自動改札機を略Ｆ字状に形成した一実施例の正面図。
【図５】  本発明の非接触式自動改札機のドア開閉駆動部系統を著した本発明の一実施例の詳細図。
【図６】  図２のＡ−Ａ断面をあらわす本発明の非接触式自動改札機の胴体部筐体を防塵構造にした一実施例の詳細図。
【図７】  図２および図３の左側面図。
【図８】  図４の左側面図。
【図９】  図２および図３の平面図。
【図１０】  図４の平面図。
【図１１】  従来の自動改札機の斜視図。
【符号の説明】
【００３３】  １  本体、２  筐体、３  ドア、４  開口部、５  蛍光灯、１０  表示部、１１  アンテナ部、１２  ドア駆動機構、１３  案内部、１４  制御部、１５  電源部、１６  ガスケットＡ、１７  ガスケットＢ、１８  ガスケットＣ、１９  点検用パネル、２０  上面パネル、２１  底面パネル、２２  ガスケット、２３  コネクタＡ、２４  コネクタＢ、２５  プラグＢ、２６  プラグＡ、２７  駆動軸、２８  密閉型ベアリングＡ、２９  密閉型ベアリングＢ、３０  従プーリ、３１  主プーリ、３２  タイミングベルト、３３  ギャーヘッド、３４  モータ、３５  ネジＡ、３６  ネジＢ、３７  側面パネルＢ、３８  側面パネルＡ、４０  Ｏリング、
１０１、２０１、３０１、４０１  改札通路入口側本体、
１０２、２０２、３０２、４０２  改札通路出口側本体、
１０６、２０６、３０６、４０６  上部筐体、
１０７、２０７、３０７、４０７  中央部筐体、
１０８、２０８、３０８、４０８  基部筐体、
１０９、２０９、３０９、４００  パイプ、
【図１】
2006085660.tif 000003
【図２】
2006085660.tif 000004
【図３】
2006085660.tif 000005
【図４】
2006085660.tif 000006
【図５】
2006085660.tif 000007
【図６】
2006085660.tif 000008
【図７】
2006085660.tif 000009
【図８】
2006085660.tif 000010
【図９】
2006085660.tif 000011
【図１０】
2006085660.tif 000012
【図１１】
2006085660.tif 000013